(57)【要約】【課題】  外出先においてもユーザがファクシミリ文書を送信できるネットワークファクシミリ装置、およびネットワークファクシミリ装置の送信方法を提供する。【解決手段】  本発明は、電話帳と、インターネットを介して送られるデータを蓄積する蓄積手段と、蓄積されたデータの一覧を、閲覧ソフトで表示できるＷｅｂページとして作成する一覧作成手段と、Ｗｅｂページにアクセスした通信端末により、送信のためのデータが選択されると、この選択されたデータをファクシミリ文書に変換するデータ変換手段と、ファクシミリ送信の宛先として電話帳内の宛先を選択可能に設定する電話帳連動手段と、ファクシミリ文書を送信するファクシミリ通信部とを備える。【選択図】      図１
2010093604.tif 000002
【特許請求の範囲】
【請求項１】
ファクシミリ文書の送信先として利用する電話帳と、
インターネットを介して送られる画像や文書のデータを蓄積する蓄積手段と、
蓄積されたデータの一覧を、閲覧ソフトで表示できるＷｅｂページとして作成する一覧作成手段と、
前記Ｗｅｂページにアクセスした通信端末により、送信のためのデータが選択されると、この選択されたデータをファクシミリ文書に変換するデータ変換手段と、
ファクシミリ送信の宛先として前記電話帳内の宛先を選択可能に設定する電話帳連動手段と、
前記ファクシミリ文書を、電話回線を介して送信するファクシミリ通信部と
を備えることを特徴とするネットワークファクシミリ装置。
【請求項２】
ネットワークファクシミリ装置の送受信履歴の送受信者を、ファクシミリ送信の宛先として選択可能に設定する送受信履歴連動手段を備える
ことを特徴とする請求項１に記載のネットワークファクシミリ装置。
【請求項３】
選択されたデータの送信を指示するための送信用Ｗｅｂページを作成する送信ページ作成手段を備え、
この送信用Ｗｅｂページにはテキスト入力部が設定されており、このテキスト入力部に入力されたテキストは、選択されたデータが変換される前に、選択したデータと合成される
ことを特徴とする請求項１又は２に記載のネットワークファクシミリ装置。
【請求項４】
前記一覧を表示するＷｅｂページには、選択したデータを、通信端末にダウンロードさせるためのボタンが配置されている
ことを特徴とする請求項１乃至３の何れかに記載のネットワークファクシミリ装置。
【請求項５】
前記蓄積手段は、更に、受信したファクシミリ文書を前記データとして取扱う
ことを特徴とする請求項１乃至４の何れかに記載のネットワークファクシミリ装置。
【請求項６】
前記Ｗｅｂページのデータの一覧は、ファイル名での一覧か、または、ファイルのサムネイルの一覧である
ことを特徴とする請求項１乃至５の何れかに記載のネットワークファクシミリ装置。
【請求項７】
前記一覧作成手段は、更に、携帯通信端末用の閲覧ソフトで表示できるＷｅｂページと、パーソナルコンピュータ等の閲覧ソフトで表示できるＷｅｂページとの２種類のＷｅｂページを作成する
ことを特徴とする請求項１乃至６の何れかに記載のネットワークファクシミリ装置。
【請求項８】
ネットワークを介して送信される画像や文書のデータを格納する蓄積ステップと、
格納されたデータの一覧を、閲覧ソフトで表示できるＷｅｂページとして作成する一覧作成ステップと、
前記Ｗｅｂページにアクセスした通信端末によって送信するデータが選択されると、この選択されたデータを、ファクシミリ文書に変換するデータ変換ステップと、
ネットワークファクシミリ装置の電話帳の宛先をファクシミリ送信の宛先として選択可能に設定する電話帳連動ステップと
を備えることを特徴とするネットワークファクシミリ装置の送信方法。
【請求項９】
前記電話帳連動ステップは、更に、ネットワークファクシミリ装置の送受信履歴の送受信者を、ファクシミリ送信の宛先として選択可能に設定する選択設定ステップを含む
ことを特徴とする請求項８に記載のネットワークファクシミリ装置の送信方法。
【請求項１０】
前記データ変換ステップの実行前に、送信ページのテキスト入力部に入力されたテキストを、通信端末で選択されたデータと合成するテキスト合成ステップを備える
ことを特徴とする請求項８又は９に記載のネットワークファクシミリ装置の送信方法。
【請求項１１】
前記蓄積ステップは、更に、受信したファクシミリ文書を前記データとして取扱うステップを含む
ことを特徴とする請求項８乃至１０の何れかに記載のネットワークファクシミリ装置の送信方法。
【発明の詳細な説明】
【技術分野】
【０００１】
この発明は、インターネットに接続されたネットワークファクシミリ装置や、ネットワークファクシミリ装置の送信方法に関する。
【背景技術】
【０００２】
ネットワークに接続されたファクシミリ装置は、特開２００７−１６６２３０号公報（特許文献１）や、特開平１１−２０５５６９号公報（特許文献２）に記載されている。
【０００３】
特許文献１に記載のネットワークファクシミリ装置は、そのネットワークファクシミリでスキャニングされた原稿のデータや、他のスキャナでスキャニングされＬＡＮ（Local Area Network）を経由して転送された原稿のデータを格納する画像ＤＢ（Database）を備える。そして、ユーザが、この画像ＤＢの一覧から、送信したい文書を選択すると、このネットワークファクシミリ装置は、選択された文書を送信する。
【０００４】
また、特許文献２に記載のネットワークファクシミリ装置は、パソコンから、ファクシミリ装置に登録されている短縮番号を参照して、ファクシミリ送信先である短縮番号を送信先として指定できる。
【０００５】
【特許文献１】特開２００７−１６６２３０号公報
【特許文献２】特開平１１−２０５５６９号公報
【発明の開示】
【発明が解決しようとする課題】
【０００６】
特許文献１や特許文献２に記載のネットワークファクシミリ装置は、その接続されているネットワークが、ＬＡＮであった。このため、ＬＡＮに接続できない外出先でのユーザは、これらネットワークファクシミリ装置を使用できなかった。
【０００７】
また、送信先等をネットワークファクシミリ装置の電話帳に登録している場合において、外出先のように、その電話帳を使えない状態では、送信したい文書が手元にあっても、送信先を確認することができないため、送信することができなかった。
【０００８】
本発明の目的は、上記課題を解決し、外出先においてもユーザがファクシミリ文書を送信できるネットワークファクシミリ装置、およびネットワークファクシミリ装置の送信方法を提供することにある。
【課題を解決するための手段】
【０００９】
本発明は上記課題を解決するためのものであって、本発明のネットワークファクシミリ装置は、
ファクシミリ文書の送信先として利用する電話帳と、
インターネットを介して送られる画像や文書のデータを蓄積する蓄積手段と、
蓄積されたデータの一覧を、閲覧ソフトで表示できるＷｅｂページとして作成する一覧作成手段と、
前記Ｗｅｂページにアクセスした通信端末により、送信のためのデータが選択されると、この選択されたデータをファクシミリ文書に変換するデータ変換手段と、
ファクシミリ送信の宛先として前記電話帳内の宛先を選択可能に設定する電話帳連動手段と、
前記ファクシミリ文書を、電話回線を介して送信するファクシミリ通信部と
を備えるものである。
【００１０】
また、本発明のネットワークファクシミリ装置の送信方法は、
ネットワークを介して送信される画像や文書のデータを格納する蓄積ステップと、
格納されたデータの一覧を、閲覧ソフトで表示できるＷｅｂページとして作成する一覧作成ステップと、
前記Ｗｅｂページにアクセスした通信端末によって送信するデータが選択されると、この選択されたデータを、ファクシミリ文書に変換するデータ変換ステップと、
ネットワークファクシミリ装置の電話帳の宛先をファクシミリ送信の宛先として選択可能に設定する電話帳連動ステップと
を備えるものである。
【発明の効果】
【００１１】
このような本発明によれば、ネットワークファクシミリ装置から離れた外出先においても、ユーザは、通信端末を利用して送信したいデータを選択し、そのネットワークファクシミリ装置の電話帳の宛先に対し、送信することができる。このため、外出先であってもユーザは、そのネットワークファクシミリ装置の近くにいるのと変わらない使用感で、ファクシミリ送信を行うことができる。
【発明を実施するための最良の形態】
【００１２】
本発明の第１実施形態について、図１〜図３に基づき説明する。
【００１３】
図１は、第１実施形態のネットワークファクシミリ装置の使用状態を示す概略構成図である。また、図２は、同ネットワークファクシミリ装置における通信端末の表示部の画面変遷を示す説明図である。更に、図３は、同ネットワークファクシミリ装置の動作を示すフローチャートである。
【００１４】
ネットワークファクシミリ装置１０１は、インターネット回線１０２を介してインターネット１１１に接続されており、更に、電話回線１０３を介して電話回線網（図示せず）にも接続されている。また、このネットワークファクシミリ装置１０１は、蓄積手段１０４と、一覧作成手段１０５と、データ変換手段１０６と、電話帳連動手段１０７と、電話帳１０８と、ファクシミリ通信部１１２とを備える。
【００１５】
蓄積手段１０４は、インターネット１１１を介して送られる画像や文書のデータを蓄積する。一覧作成手段１０５は、蓄積されたデータの一覧を、閲覧ソフト（Ｗｅｂブラウザとも呼ばれる）で表示できるＷｅｂページ１０９として作成する。データ変換手段１０６は、Ｗｅｂページ１０９にアクセスした通信端末１１０により、送信のためのデータが選択されると、この選択されたデータをファクシミリに送信可能なデータ形態であるファクシミリ文書に変換する。電話帳連動手段１０７は、ファクシミリ送信の宛先として電話帳１０８内の宛先を選択可能に設定する。電話帳１０８は、ファクシミリ番号や電話番号が宛先名とセットで登録されており、ファクシミリ文書の送信先として、また電話の通話先としても利用される。ファクシミリ通信部１１２は、変換されたファクシミリ文書を、電話回線１０３を介して送信する。
【００１６】
通信端末１１０は、画像や文書のデータを、インターネット１１１を介してネットワークファクシミリ装置１０１に送ることができる。また、通信端末１１０は、ネットワークファクシミリ装置１０１のＷｅｂページ１０９にアクセス可能であり、ファクシミリ送信したいデータの選択と、その宛先(送信先）を設定することができる。
【００１７】
尚、図１では、通信端末１１０の一例として、携帯電話やＰＨＳ（Personal Handy-phone System）等の携帯通信端末の例を示すが、これ以外に、パーソナルコンピュータ（パソコン）や、ＰＤＡ（Personal Digital Assistants、個人用携帯情報端末）等も使用することができる。
【００１８】
また、ネットワークファクシミリ装置１０１内の各手段等を制御する主制御部を備えているが図示しない。
【００１９】
次に、ユーザが通信端末１１０を使って、データの選択、送信指示をする一例を、図２に基づき説明する。
【００２０】
Ｗｅｂページ１０９に接続した通信端末１１０の表示部１２０には、最初にＷｅｂページ２０１が表示される。このＷｅｂページ２０１は、蓄積手段１０４に蓄積された（アップロードされた）データの名前や、アップロード日を一覧表示する。
【００２１】
このＷｅｂページ２０１において、ユーザが、選択キーを使用して画像ファイルを選択し、ＯＫキーを押下すると、表示がＷｅｂページ２０２に切り替わる。尚、選択キーやＯＫキーは、Ｗｅｂページ２０１下部に表示の「選択」、「ＯＫ」の下方に対応した位置にあるキーや十字キーであるが、ここでは図示しない。
【００２２】
このＷｅｂページ２０２は、ネットワークファクシミリ装置１０１に格納されている電話帳１０８の宛先を選択するためのページである。そして、Ｗｅｂページ２０２が表示されている状態で、ユーザが、宛先を電話帳１０８から選択し、ＯＫキーを押下すると、表示がＷｅｂページ２０３に切り替わる。このＷｅｂページ２０３において、ユーザが、送信文書名、送信先（宛先）の名称やファクシミリ番号を確認し、送信キーを押下すると、ネットワークファクシミリ装置１０１において、データを送信先に送るための処理（データ変換や、送信処理）が進められる。
【００２３】
このようなネットワークファクシミリ装置１０１は、図３に示すフローチャートのように動作する。
【００２４】
最初に、ステップ３０１（以下、「ステップ」を「Ｓ」という。）において、通信端末１１０がＷｅｂページ１０９にアクセスしているか否かを、図示しない主制御部が判別する。通信端末１１０がＷｅｂページ１０９にアクセスしていると（Ｓ３０１でＹｅｓ）、主制御部は、Ｓ３０２でＷｅｂページ１０９を送信する。これにより、図２に示すように、ユーザの通信端末１１０で、Ｗｅｂページ２０１を閲覧したり、Ｗｅｂページ２０１、２０２、２０３に対して操作や指示をしたりすることができる。
【００２５】
次に、主制御部は、Ｓ３０３で、通信端末１１０でデータが選択されたか否かを判別する。データが選択されたと判別すると（Ｓ３０３でＹｅｓ）、主制御部は、Ｓ３０４で電話帳１０８から宛先を選択されたか否かを判別する。宛先が選択されていれば（Ｓ３０４でＹｅｓ）、ファクシミリ通信部１１２は、データ変換手段１０６でデータから変換されたファクシミリ文書を、選択された宛先に送信する（Ｓ３０５）。
【００２６】
次に主制御部は、Ｓ３０６で終了か否かを判別し、終了ではない場合（Ｓ３０６でＮｏ）、制御が再びＳ３０１に移行する。
【００２７】
このように動作するネットワークファクシミリ装置１０１では、次のような効果がある。ユーザは外出していれば、そのネットワークファクシミリ装置１０１や格納している電話帳１０８を、通常は使うことができない。このような場合においても、ユーザは、通信端末１１０で、蓄積画像の一覧を示すＷｅｂページ１０９にアクセスすることによって、選択したデータを、電話帳１０８に登録されている宛先に送信することができる。このため、外出先であってもユーザは、そのネットワークファクシミリ装置１０１の近くにいるのと変わらない使用感で、ファクシミリ送信を行うことができる。
【００２８】
次に、本発明の第２実施形態について、図４〜図９に基づき説明する。
【００２９】
図４は、本発明の第２実施形態のネットワークファクシミリ装置の使用状態を示す概略構成図である。図５は、同ネットワークファクシミリ装置の概略構成図である。図６は、通信端末としてのパソコンがＷｅｂページにアクセスしたときの画面を示す説明図である。図７は、パソコンで宛先を設定する際の画面を示す説明図である。図８は、送信するファクシミリ文書の一例を示す説明図である。図９は、ネットワークファクシミリ装置の動作を示すフローチャートである。
【００３０】
図４に示すように、ネットワークファクシミリ装置４０１は、インターネット回線４０２を介してインターネット４１８に接続されており、電話回線４０３を介して電話回線網４１９に接続されている。電話回線４０３には、送信先（宛先）のファクシミリ４０４が接続されている。また、通信端末４０５は、必要に応じてインターネット４１８に接続される。通信端末４０５の例としては、デスクトップ式のパソコン４０６や、携帯通信端末４０７がある。携帯通信端末４０７は、第１実施形態で説明したように、携帯電話や、ＰＨＳや、モバイル式のパソコンや、ＰＤＡ等である。
【００３１】
また、図５に示すように、ネットワークファクシミリ装置４０１は、主制御部４１０、ネットワーク通信部４１１、Ｗｅｂページ４１２、メモリ４１３、電話帳４１４、ファクシミリ通信部４１５、データ変換手段４１６を備える。
【００３２】
主制御部４１０は、図示しないプログラムに従って動作し、装置全体の制御を行う。また、ファクシミリ送信の宛先として電話帳４１４内の宛先を選択可能に設定する電話帳連動手段の機能や、蓄積されたデータの一覧を、閲覧ソフトで表示できるＷｅｂページとして作成する一覧作成手段の機能も担っている。更に、この主制御部４１０は、選択されたデータの送信を指示するための送信用Ｗｅｂページを作成する送信ページ作成手段の機能も担っている。
【００３３】
ネットワーク通信部４１１は、インターネット回線４０２からの送受信を制御する。
【００３４】
Ｗｅｂページ４１２は、通信端末４０５であるパソコン４０６にアクセスされるページで、いわゆるＨＴＭＬ文書である。また、このＷｅｂページ４１２は、携帯通信端末用の閲覧ソフト（Ｗｅｂブラウザ）で表示できるＷｅｂページと、パーソナルコンピュータ等の閲覧ソフト（Ｗｅｂブラウザ）で表示できるＷｅｂページとの２種類のＷｅｂページとが作成されている。
【００３５】
メモリ４１３は、インターネット回線４０２を介して送信されるデータを蓄積し、蓄積手段の機能を果たす。
【００３６】
電話帳４１４は、ファクシミリ番号や電話番号が宛先名とセットで登録されており、ファクシミリ文書の送信先としても、また電話の通話先としても利用される。
【００３７】
ファクシミリ通信部４１５は、データ変換手段４１６で変換されたファクシミリ文書を、電話回線４０３を介して、宛先のファクシミリ４０４に送信する。また、ファクシミリ通信部４１５は、相手のファクシミリ４０４からのファクシミリ文書を受信する。
【００３８】
データ変換手段４１６は、通信端末４０５で選択されたデータを、相手のファクシミリ４０４に送信可能なデータ形態であるファクシミリ文書に変換する。
【００３９】
図６に示すように、パソコンの表示画面４２０に表示されるＷｅｂページ４２１は、第１実施形態の図２に示す携帯型の通信端末用のＷｅｂページ２０１、２０２、２０３より、大きなページに設定されている。また、このＷｅｂページ４２１は、マウスポインタ４２２でデータの選択や、機能の選択を行えるように設定されている。また、Ｗｅｂページ４１２は、このパソコン用のＷｅｂページ４２１と、携帯通信端末用のＷｅｂページが用意されているが、アクセスする通信端末４０５が、この第２実施形態では、パソコン４０６のため、図６に示すようなＷｅｂページ４２１となっている。アクセスする通信端末４０５が携帯電話のような携帯通信端末４０７では、Ｗｅｂページ４１２は、図２に示すようなものになる。
【００４０】
Ｗｅｂページ４２１の左側には、アップロードされた（蓄積された）データ一覧が、ファイル名の一覧で表示されている。また、Ｗｅｂページ４２１の右側には、受信ファクシミリ文書一覧が、送信元ファクシミリ番号やページ数が受信日順に一覧として表示される。
【００４１】
更に、選択したデータ（アップロードされたデータ）を、パソコン４０６にダウンロードするための、ダウンロードボタン４２３が、Ｗｅｂページ４２１下に配置されている。また、受信したファクシミリ文書をアップロードデータとして蓄積するためのアップロードボタン４２４も配置されている。更に、アップロードされたデータのうち、選択したデータをファクシミリ送信するためのファクシミリ送信ボタン４２５も配置されている。
【００４２】
データが選択された状態で、図６に示すファクシミリ送信ボタン４２５がマウスポインタ４２２でクリックされると、図７に示すＷｅｂページ４３０（送信用Ｗｅｂページ）に切り替わる。
【００４３】
このＷｅｂページ４３０には、送信データ表示部４３１、送信先電話番号表示部４３２、電話帳参照ボタン４３３、テキスト入力部４３４、送信スタートボタン４３５、キャンセルボタン４３６が配置されている。
【００４４】
送信データ表示部４３１には、選択されたデータのファイル名が表示される。送信先電話番号表示部４３２には、電話帳４１４で選択された宛先の電話番号（ファクシミリ番号、ＦＡＸ番号）が表示される。ユーザが電話帳参照ボタン４３３をマウスポインタ４２２でクリックすると、ポップアップで電話帳データが表示される（図示せず）。ユーザは、この表示された電話帳データから、宛先を選択することができる。
【００４５】
テキスト入力部４３４は、ユーザによりテキストがキーボードで入力される。この入力されたテキストは、ファクシミリ文書（図８参照）の所定の位置に自動挿入される。
【００４６】
この図７に示すＷｅｂページ４３０では、図６のＷｅｂページ４２１で「設計図面.jpg」が選択され、選択の宛先に対応した送信先電話番号（ＦＡＸ番号）「０３ｘｘｘｘｘｘｘｘ」が自動設定され、更に、テキスト入力部４３４に「設計図面を送付します。」と入力されている。そして、この状態で、送信スタートボタン４３５をマウスポインタ４２２でクリックすると、送信動作が開始される。また、キャンセルボタン４３６をマウスでクリックして、現在の設定をキャンセルすることもできる。
【００４７】
図８に示すファクシミリ文書４４０は、送信先、ＦＡＸ番号（電話番号）、日付け、件名、発信元の名称及びＦＡＸ番号が所定の位置に自動的に入力され、選択されたデータ（設計図面.jpg）が所定の位置に自動的に配置されて形成される。
【００４８】
ＦＡＸ番号は、電話帳４１４で選択された宛先に対応したＦＡＸ番号が自動的に入力され、送付先は、電話帳４１４に登録されている宛先が自動的に入力される。日付けは、内部の時計に基づき自動的に入力され、発信元の名称及びＦＡＸ番号は、登録されている名称及びＦＡＸ番号が自動的に入力される。また、件名は、テキスト入力部４３４に入力されたテキストが、自動的に入力される。そして、ＦＡＸ送信票（ファクシミリ文書４４０の1頁）の下部と次頁以降に、選択したデータ（設計図面.jpg）が配置される。このネットワークファクシミリ装置４０１では、このような形態のファクシミリ文書４４０が作成され、送信される。
【００４９】
このように構成されたネットワークファクシミリ装置４０１は、図９に示すフローチャートのように動作する。尚、図３と同一の部分については、同一のステップ番号を付している。
【００５０】
最初にＳ３０１で、通信端末４０５がＷｅｂページ４１２にアクセスしているか否かを、主制御部４１０が判別する。通信端末４０５であるパソコン４０６がＷｅｂページ４１２にアクセスしていると（Ｓ３０１でＹｅｓ）、主制御部４１０は、Ｓ３０２でＷｅｂページ４１２を送信する。
【００５１】
次に、主制御部４１０は、Ｓ３０３で、パソコン４０６でデータが選択されたか否かを判別し、更に、Ｓ３０４で、電話帳４１４から宛先を選択されたか否かを判別する。何れもＹｅｓであれば、主制御部４１０は、次に、Ｓ３０７で、テキスト入力部４３４にテキスト入力があるか否かを判別する。テキスト入力部４３４にテキスト入力がある場合（Ｓ３０７でＹｅｓ）、主制御部４１０は、Ｓ３０８で、テキストと選択されたデータとを合成する。また、Ｓ３０７でテキスト入力がない場合（Ｓ３０７でＮｏ）、制御がＳ３０５に移行する。Ｓ３０５で、選択されたデータをデータ変換手段４１６がファクシミリ文書４４０に変換し、ファクシミリ通信部４１５が、変換されたファクシミリ文書４４０を、電話帳４１４の中から選択された宛先に送信する。
【００５２】
そして、Ｓ３０６で、主制御部４１０は、終了か否かを判別し、終了ではない場合、制御がＳ３０１に移行する。
【００５３】
このように動作するネットワークファクシミリ装置４０１では、第１実施形態のネットワークファクシミリ装置１０１と同様に、外出先であってもユーザは、そのネットワークファクシミリ装置４０１の近くにいるのと変わらない使用感で、ファクシミリ送信を行うことができる。
【００５４】
特に、送信用のＷｅｂページ４３０にテキスト入力部４３４が配置されており、入力されたテキストを、例えば件名として利用できるので、ネットワークファクシミリ装置４０１を便利に使用することができる。
【００５５】
また、Ｗｅｂページ４１２として、２種類用意されているので、表示面積の広い通信端末（デスクトップパソコンやモバイル式のパソコン等）や、表示面積の狭い携帯通信端末（携帯通信端末、携帯電話、ＰＨＳ、ＰＤＡ）等、幅広い通信端末４０５のアクセスに対応することができる。
【００５６】
また、このＷｅｂページ４１２におけるデータの一覧を、ファイル名での一覧ではなく、ファイルのサムネイルの一覧とすることもできる（図示せず）。この場合、ファイル名では内容を区別しにくいデータも、視覚により、比較的容易に内容を確認でき、選択しやすくすることができる。
【００５７】
また、通信端末４０５のアクセスするＷｅｂページ４２１にダウンロードボタン４２３を配置しているので、アクセスしたＷｅｂページ４２１から自機に対して、簡単にデータをダウンロードすることができる。
【００５８】
更に、図６に示すＷｅｂページ４２１を表示した状態において、受信ファクシミリ文書を選択し、アップロードボタン４２４をマウスポインタ４２２でクリックすることにより、選択したファクシミリ文書をアップロードする（メモリ４１３にデータとして蓄積する）こともできる。
【００５９】
このような場合、受信したファクシミリ文書をメモリ４１３のデータとして取扱うことができるので、通信端末４０５で送信されたデータだけではなく、受信したファクシミリ文書も、ダウンロードしたり、電話帳４１４に登録されている他の宛先に送信したりすることができる。このため、ユーザは、更に、便利にネットワークファクシミリ装置４０１を使用することができる。
【００６０】
次に、第３実施形態について、図１０〜図１２に基づき説明する。
【００６１】
この第３実施形態は、第２実施形態と大部分が同じであるため、異なる部分を中心に説明する。また、同一の構成には、同一の符号を付す。
【００６２】
図１０は、本発明の第３実施形態のネットワークファクシミリ装置の概略構成図である。また、図１１は、パソコンで宛先を設定する際の画面を示す説明図である。更に、図１２は、同ネットワークファクシミリ装置の動作を示すフローチャートである。
【００６３】
図１０に示すように、第３実施形態のネットワークファクシミリ装置４０１Ａは、第２実施形態と同様に、主制御部４１０Ａ、ネットワーク通信部４１１、Ｗｅｂページ４１２、メモリ４１３、電話帳４１４、ファクシミリ通信部４１５、データ変換手段４１６を備える。更に、このネットワークファクシミリ装置４０１Ａは、送受信履歴部５０１を備える。この送受信履歴部５０１は、ファクシミリ文書の送信履歴と、受信履歴と、更に送信未完了のリダイヤル履歴とを格納している。
【００６４】
主制御部４１０Ａは、ネットワークファクシミリ装置４０１Ａの全体を制御する。また、主制御部４１０Ａは、電話帳連動手段の機能や、一覧作成手段の機能を担っている。更に、この主制御部４１０Ａは、ネットワークファクシミリ装置４０１Ａの送受信履歴の送受信者を、ファクシミリ送信の宛先として選択可能に設定する送受信履歴連動手段の機能も担っている。
【００６５】
図１１に示すＷｅｂページ４３０Ａは、送信用のＷｅｂページであり、宛先（送信先）の設定は、電話帳４１４に登録されている宛先だけではなく、送受信履歴部５０１に格納されている宛先も設定することができる。
【００６６】
この場合、ユーザは、履歴参照ボタン５０２をマウスポインタ４２２でクリックする。すると、ポップアップで送受信履歴データが表示され（図示せず）、この表示されたデータを選択することにより、宛先を設定できる。
【００６７】
このように構成されたネットワークファクシミリ装置４０１Ａは、図１２に示すフローチャートのように動作する。尚、図９と同一の部分については、同一のステップ番号を付している。
【００６８】
通信端末４０５であるパソコン４０６がＷｅｂページ４１２にアクセスしていると（Ｓ３０１でＹｅｓ）、主制御部４１０Ａが一覧表のＷｅｂページ４１２を送信する（Ｓ３０２）。次に、主制御部４１０Ａが、Ｓ３０３でパソコン４０６がデータを選択しているか判別し、データを選択していれば（Ｓ３０３でＹｅｓ）、Ｓ３０９で電話帳４１４や送受信履歴部５０１から宛先が選択されているか否かを判別する。宛先が選択されていれば（Ｓ３０９でＹｅｓ）、制御がＳ３０７に移行する。このＳ３０７以降の制御は図９と同じであるため、説明を省略する。
【００６９】
このように動作するネットワークファクシミリ装置４０１Ａでは、電話帳４１４の宛先だけでなく、送受信履歴の宛先にも送信することができる。このため、送受信履歴の宛先に送信できない場合に比べて、ユーザは、ネットワークファクシミリ装置４０１Ａを、更に便利に使用することができる。
【図面の簡単な説明】
【００７０】
【図１】第１実施形態のネットワークファクシミリ装置の使用状態を示す概略構成図である。
【図２】同ネットワークファクシミリ装置のＷｅｂページに通信端末がアクセスした状態を示す説明図である。
【図３】同ネットワークファクシミリ装置の動作を示すフローチャートである。
【図４】第２実施形態のネットワークファクシミリ装置の使用状態を示す概略構成図である。
【図５】同ネットワークファクシミリ装置の概略構成図である。
【図６】通信端末としてのパソコンがＷｅｂページにアクセスしたときの画面を示す説明図である。
【図７】パソコンで宛先を設定する際の画面を示す説明図である。
【図８】送信するファクシミリ文書の一例を示す説明図である。
【図９】ネットワークファクシミリ装置の動作を示すフローチャートである。
【図１０】第３実施形態のネットワークファクシミリ装置の概略構成図である。
【図１１】パソコンで宛先を設定する際の画面を示す説明図である。
【図１２】同ネットワークファクシミリ装置の動作を示す説明図である。
【符号の説明】
【００７１】
１０１    ネットワークファクシミリ装置
１０２    インターネット回線
１０３    電話回線
１０４    蓄積手段
１０５    一覧作成手段
１０６    データ変換手段
１０７    電話帳連動手段
１０８    電話帳
１０９    Ｗｅｂページ
１１０    通信端末
１１１    インターネット
１１２    ファクシミリ通信部
１２０    表示部
２０１    Ｗｅｂページ
２０２    Ｗｅｂページ
２０３    Ｗｅｂページ
４０１    ネットワークファクシミリ装置
４０１Ａ    ネットワークファクシミリ装置
４０２    インターネット回線
４０３    電話回線
４０４    ファクシミリ
４０５    通信端末
４０６    パソコン
４０７    携帯通信端末
４１０    主制御部
４１０Ａ    主制御部
４１１    ネットワーク通信部
４１２    Ｗｅｂページ
４１３    メモリ
４１４    電話帳
４１５    ファクシミリ通信部
４１６    データ変換手段
４１８    インターネット
４１９    電話回線網
４２０    表示画面
４２１    Ｗｅｂページ
４２２    マウスポインタ
４２３    ダウンロードボタン
４２４    アップロードボタン
４３０    Ｗｅｂページ
４３０Ａ    Ｗｅｂページ
４３１    送信データ表示部
４３２    送信先電話番号表示部
４３３    電話帳参照ボタン
４３４    テキスト入力部
４３５    送信スタートボタン
４３６    キャンセルボタン
４４０    ファクシミリ文書
５０１    送受信履歴部
５０２    履歴参照ボタン
【図１】
2010093604.tif 000003
【図２】
2010093604.tif 000004
【図３】
2010093604.tif 000005
【図４】
2010093604.tif 000006
【図５】
2010093604.tif 000007
【図６】
2010093604.tif 000008
【図７】
2010093604.tif 000009
【図８】
2010093604.tif 000010
【図９】
2010093604.tif 000011
【図１０】
2010093604.tif 000012
【図１１】
2010093604.tif 000013
【図１２】
2010093604.tif 000014